(57)【要約】【課題】補助分草装置を簡易的に構成してコストダウンを図ると共に、慣性力による振動の発生を抑える。【解決手段】茎稈の株元付近を分草するデバイダ８と、茎稈を引き起す引起装置９とを備えるコンバイン１の補助分草装置２３であって、引起装置９の前方に、上下方向に沿って分草杆２４を配置し、該分草杆２４の下部を、引起装置９の前方下部で上下揺動自在に支持する一方、分草杆２４の上部を、左右方向に沿う駆動軸２９を中心として円運動させる。【選択図】図４
2010130921.tif 000002
【特許請求の範囲】
【請求項１】
茎稈の株元付近を分草するデバイダと、茎稈を引き起す引起装置とを備える茎稈刈取作業機の補助分草装置であって、
前記引起装置の前方に、上下方向に沿って分草杆を配置し、該分草杆の下部を、引起装置の前方下部で上下揺動自在に支持する一方、分草杆の上部を、左右方向に沿う駆動軸を中心として円運動させることを特徴とする茎稈刈取作業機の補助分草装置。
【請求項２】
前記分草杆の下部が、デバイダに形成した前後方向の長孔を介してデバイダフレームで支持されることを特徴とする請求項１記載の茎稈刈取作業機の補助分草装置。
【請求項３】
前記分草杆の下部を支持する揺動支持部材が、上方揺動姿勢でもデバイダの下方に位置することを特徴とする請求項１又は２記載の茎稈刈取作業機の補助分草装置。
【請求項４】
前記円運動の方向を、分草杆の作用軌跡が後方下方から前方上方に遷移するように設定したことを特徴とする請求項１〜３のいずれかに記載の茎稈刈取作業機の補助分草装置。
【発明の詳細な説明】
【技術分野】
【０００１】
本発明は、コンバイン、バインダなどの茎稈刈取作業機の補助分草装置に関する。
【背景技術】
【０００２】
一般に、この種の茎稈刈取作業機では、デバイダで分草された茎稈を引起装置で引き起すが、引起装置は、引起ケースから側方に突出する引起爪の上昇動作で茎稈を引き起すように構成されているため、走行方向に対して直交する方向に倒伏した茎稈を刈り取る場合には、引起作用や分草作用が不足するという問題がある。
【０００３】
そこで、上記のような倒伏茎稈でも良好に分草や引き起しができる補助引起装置（補助分草装置）が実用化されている（例えば、特許文献１参照）。この補助引起装置は、引起ケースの前方に上下方向に沿って取付けるものであって、補助引起ケースから前方に突出する引起爪の上昇動作で茎稈を引き起すように構成されているため、走行方向に対して直交する方向に倒伏した茎稈であっても、良好な分草及び引き起しが可能となる。
【特許文献１】特開２０００−１１６２２５号公報
【特許文献２】特開平６−３０６３２号公報
【発明の開示】
【発明が解決しようとする課題】
【０００４】
しかしながら、特許文献１に示される補助引起装置は、補助引起ケースに内装される駆動輪と従動輪との間に、複数の引起爪が起伏自在に枢着された引起チェンを懸回し、該引起チェンの上昇経路では、引起爪を起立させて補助引起ケースから前方に突出させる一方、下降経路では、引起爪を倒伏させて補助引起ケース内に収容するように構成されるため、構造が複雑で価格が高くなってしまうという問題がある。
【０００５】
また、特許文献２に示されるように、簡易的な補助分草装置も提案されているが、この補助分草装置は、引起装置の前面に堆積した藁屑や雑草を剥離除去し、地上に落すことを目的としたものであり、特許文献１に示す補助引起装置と同等の引起作用や分草作用は期待できない。つまり、特許文献２の補助分草装置は、杆状の分草具を小型の電動モータで前後駆動させるものであって、倒伏茎稈の引き起しに必要な駆動力を発生することは困難である。また、特許文献２の補助分草装置は、分草具の上部及び下部を揺動アームで支持し、いわゆる平行リンクを構成しているので、仮に連続駆動させたとすると、前後方向に交互に発生する慣性力によって、大きな振動源になるという問題がある。
【課題を解決するための手段】
【０００６】
本発明は、上記の如き実情に鑑みこれらの課題を解決することを目的として創作されたものであって、茎稈の株元付近を分草するデバイダと、茎稈を引き起す引起装置とを備える茎稈刈取作業機の補助分草装置であって、前記引起装置の前方に、上下方向に沿って分草杆を配置し、該分草杆の下部を、引起装置の前方下部で上下揺動自在に支持する一方、分草杆の上部を、左右方向に沿う駆動軸を中心として円運動させることを特徴とする。このようにすると、補助分草装置を簡易的に構成し、大幅なコストダウンが図れる。また、分草杆の上部を、左右方向に沿う駆動軸を中心として円運動させるので、単純な往復運動を行う場合に比べ、慣性力による振動の発生を抑えることができる。
また、前記分草杆の下部が、デバイダに形成した前後方向の長孔を介してデバイダフレームで支持されることを特徴とする。このようにすると、分草杆の下部を支持する揺動支持部がデバイダの裏側に隠れるので、揺動支持部の耐久性を向上できると共に、揺動支持部に対する藁などの引っ掛かりも抑制することができる。
また、前記分草杆の下部を支持する揺動支持部材が、上方揺動姿勢でもデバイダの下方に位置することを特徴とする。このようにすると、揺動支持部材を常にデバイダの裏側に隠すことができるので、揺動支持部材の耐久性を向上できると共に、揺動支持部材に対する藁などの引っ掛かりも抑制することができる。
また、前記円運動の方向を、分草杆の作用軌跡が後方下方から前方上方に遷移するように設定したことを特徴とする。このようにすると、茎稈に引起方向の力を作用させることができるので、簡易的な補助分草装置でありながら、倒伏茎稈を引き起すことができる。
【発明を実施するための最良の形態】
【０００７】
次に、本発明の実施形態について、図面に基づいて説明する。図１及び図２において、１はコンバインであって、該コンバイン１は、茎稈を刈取る前処理部２、刈取茎稈から穀粒を脱穀して選別する脱穀部３、選別した穀粒を貯溜する穀粒タンク４、脱穀済みの排稈を後処理する後処理部５、オペレータが乗車する運転部６、左右一対のクローラ走行装置からなる走行部７などを備えて構成されている。
【０００８】
図１〜図３に示すように、前処理部２は、未刈り茎稈の株元付近を分草するデバイダ８、茎稈を引き起す引起装置９、茎稈の株元付近を掻き込むスターホイル１０及び掻込ベルト１１、茎稈の株元を切断する刈刃１２、刈取茎稈を集稈して後方へ搬送する株元搬送装置１３、茎稈の扱深さを調節する扱深さ搬送装置１４などを備えて構成され、搬送ＨＳＴ１５から供給される動力で動作する。
【０００９】
デバイダ８は、刈取条端及び刈取条間に位置するように、左右方向に所定の間隔を存して、前処理部２の前端部に複数設けられている。デバイダ８の個数は、刈取条数＋１であり、例えば、４条刈りの前処理部２は、５つのデバイダ８を備える。デバイダ８は、嘴状に形成され、デバイダフレーム１６の前端部に取り付けられる。デバイダ８の形状には大小があり、正面視において、引起装置９の爪突出側（合流経路側）に小さいデバイダ８が配置され、その反対側に大きいデバイダ８が配置される。
【００１０】
引起装置９は、前処理部２の前部に上下方向に沿って配置される引起ケース１７、引起ケース１７の上部に設けられる駆動スプロケット１８、引起ケース１７の下部に設けられる従動スプロケット１９、両スプロケット１８、１９間に懸回される引起チェン２０、引起ケース１７の正面を覆う引起カバー２１などを備えて構成される。引起チェン２０には、複数の引起爪２２が所定間隔を存して起伏自在に枢着されており、引起チェン２０の上昇経路では、引起爪２２を起立させて引起ケース１７から側方に突出させる一方、下降経路では、引起爪２２を倒伏させて引起ケース１７内に収容するようになっている。つまり、引起装置９は、引起ケース１７から側方に突出する引起爪２２の上昇動作で茎稈を引き起すように構成されている。引起装置９の個数は、刈取条数に一致しており、例えば、４条刈りの前処理部２は、４つの引起装置９を備える。この場合、左側２条分の刈り取り茎稈と、右側２条分の刈り取り茎稈をそれぞれ合流させる関係上、左側２条分の引起装置９は、左側合流経路に向けて引起爪２２が突出するように配置され、右側２条分の引起装置９は、右側合流経路に向けて引起爪２２が突出するように配置される。
【００１１】
図１及び図２に示すように、引起装置９の前方には、補助分草装置２３が設けられている。補助分草装置２３の個数は、任意であるが、刈り取り茎稈の合流経路数と一致させることが好ましい。例えば、４条刈りの前処理部２では、２つの補助分草装置２３を設ける。この場合、補助分草装置２３の取付位置は、正面視において、左右の合流経路間（中央のデバイダ８上）と、未刈り地側端（左端のデバイダ８上）であり、ここで積極的な分草作用及び引起作用を行う。
【００１２】
図４〜図１０に示すように、補助分草装置２３は、上下方向に沿って配置される分草杆２４と、駆動アーム２５を介して分草杆２４の上部を支持する駆動ケース（上側支持部）２６と、揺動アーム（揺動支持部材）２７を介して分草杆２４の下部を支持する下側支持部２８とを備えて構成されている。
【００１３】
揺動アーム２７は、分草杆２４の下部を、引起装置９の前方下部で上下揺動自在に支持する一方、駆動アーム２５は、分草杆２４の上部を、左右方向に沿う駆動軸２９を中心として円運動させる。つまり、分草杆２４の上部を円運動させると、分草杆２４が前後及び上下に変位し、茎稈に対して分草方向及び引起方向の力を作用させることが可能になる。これにより、補助分草装置２３を簡易的に構成し、大幅なコストダウンが図れる。しかも、分草杆２４の上部を、左右方向に沿う駆動軸２９を中心として円運動させるので、単純な往復運動を行う場合に比べ、慣性力による振動の発生を抑えることができる。
【００１４】
下側支持部２８は、デバイダフレーム１６に溶着された板材からなり、揺動アーム２７を介して、分草杆２４の下部を上下揺動自在に支持している。補助分草装置２３の取付位置に設けられるデバイダ８には、前後方向の長孔８ａが形成されており、この長孔８ａに分草杆２４が挿通されている。言い換えれば、分草杆２４の下部は、デバイダ８に形成した前後方向の長孔８ａを介してデバイダフレーム１６で支持される。このようにすると、分草杆２４の下部を支持する揺動支持部（揺動アーム２７及び下側支持部２８）がデバイダ８の裏側に隠れるので、揺動支持部の耐久性を向上できると共に、揺動支持部に対する藁などの引っ掛かりも抑制することができる。
【００１５】
また、分草杆２４の下部を支持する揺動アーム２７は、上方揺動姿勢（上限位置）でもデバイダ８の下方に位置することが好ましい。このようにすると、揺動アーム２７を常にデバイダ８の裏側に隠すことができるので、揺動アーム２７の耐久性を向上できると共に、揺動アーム２７に対する藁などの引っ掛かりも抑制することができる。
【００１６】
駆動ケース２６は、引起装置９の正面上部に取り付けられ、駆動アーム２５を介して分草杆２４の上部を支持している。本実施形態の駆動ケース２６は、引起装置９の駆動スプロケット軸３０から動力を取り出す入力軸３１と、左右方向に沿う前述の駆動軸２９と、入力軸３１の動力を駆動軸２９に伝動するベベルギヤ３２とを備えて構成されている。
【００１７】
駆動アーム２５の回転方向、すなわち分草杆２４の上部に係る円運動の方向は、分草杆２４の作用軌跡が後方下方から前方上方に遷移するように設定することが好ましい。例えば、図４や図６に示す左側面図において、分草杆２４の上部を時計回りに円運動させる。このようにすると、茎稈に引起方向の力を作用させることができるので、簡易的な補助分草装置２３でありながら、倒伏茎稈を引き起すことが可能になる。
【００１８】
また、分草杆２４の上部を支持する駆動ケース２６と、分草杆２４の下部を支持する下側支持部２８は、補強フレーム３３を介して連結されている。例えば、パイプ材からなる補強フレーム３３の上端部を、駆動ケース２６のボルト３４で共締めすると共に、補強フレーム３３の下端部を、揺動アーム２７の揺動支点軸３５に固定する。このようにすると、駆動ケース２６と下側支持部２８の軸間距離を一定にし、分草杆２４を円滑に駆動させることができる。また、分草杆２４、駆動ケース２６、下側支持部２８及び補強フレーム３３を予めアッシーとし、アッシーの状態で引起装置９に取り付けることができるので、補助分草装置２３の取り付けが容易になる。
【００１９】
また、補強フレーム３３は、分草杆２４の後方に配置し、正面視で分草杆２４と重複させることが好ましい。このようにすると、補強フレーム３３に対する茎稈の引っ掛かりを抑制することができる。
【００２０】
次に、補助分草装置２３の取り付け手順について、図１０を参照して説明する。尚、本実施形態のデバイダフレーム１６は、前処理フレームに一体化される固定フレーム１６ａと、該固定フレーム１６ａの前端部に挿入連結される着脱フレーム１６ｂとからなり、デバイダ８及び下側支持部２８は、着脱フレーム１６ｂに設けられるものとする。
【００２１】
本実施形態の補助分草装置２３は、分草杆２４、駆動ケース２６、下側支持部２８、補強フレーム３３、デバイダ８及び着脱フレーム１６ｂを予めアッシーＡとし、アッシーＡの状態で引起装置９に取り付けられる。このアッシーＡを引起装置９に取り付ける場合は、まず、引起装置９の引起カバー２１を外した状態で、引起ケース１７に支持プレート３６を３本のボルト３７で固定し、その後、引起ケース１７に引起カバー２１を固定する。次に、着脱フレーム１６ｂを固定フレーム１６ａに挿入すると共に、駆動ケース２６の入力軸３１を駆動スプロケット軸３０に挿入する。その後、駆動ケース２６を１本の固定ボルト３８で支持プレート３６に固定すると共に、着脱フレーム１６ｂを１本のボルト３９で固定フレーム１６ａに固定すれば、アッシーＡ（補助分草装置２３及びデバイダ８）の取り付けが完了する。
【００２２】
叙述の如く構成された本実施形態によれば、茎稈の株元付近を分草するデバイダ８と、茎稈を引き起す引起装置９とを備えるコンバイン１の補助分草装置２３であって、引起装置９の前方に、上下方向に沿って分草杆２４を配置し、該分草杆２４の下部を、引起装置９の前方下部で上下揺動自在に支持する一方、分草杆２４の上部を、左右方向に沿う駆動軸２９を中心として円運動させるので、補助分草装置２３を簡易的に構成し、大幅なコストダウンが図れる。また、分草杆２４の上部を、左右方向に沿う駆動軸２９を中心として円運動させるので、単純な往復運動を行う場合に比べ、慣性力による振動の発生を抑えることができる。
【００２３】
また、分草杆２４の下部が、デバイダ８に形成した前後方向の長孔８ａを介してデバイダフレーム１６で支持されるので、分草杆２４の下部を支持する揺動支持部がデバイダ８の裏側に隠れることになり、その結果、揺動支持部の耐久性を向上できると共に、揺動支持部に対する藁などの引っ掛かりも抑制することができる。
【００２４】
また、分草杆２４の下部を支持する揺動アーム２７が、上方揺動姿勢でもデバイダ８の下方に位置するので、揺動アーム２７を常にデバイダ８の裏側に隠すことができる。これにより、揺動アーム２７の耐久性を向上できると共に、揺動アーム２７に対する藁などの引っ掛かりも抑制することができる。
【００２５】
また、分草杆２４の上部に係る円運動の方向を、分草杆２４の作用軌跡が後方下方から前方上方に遷移するように設定したので、茎稈に引起方向の力を作用させることができる。その結果、簡易的な補助分草装置２３でありながら、倒伏茎稈を引き起すことができる。
【００２６】
次に、本発明の第二実施形態に係る補助分草装置２３について、図１１を参照して説明する。但し、前記実施形態と共通の構成については、前記実施形態と同一の符号を付けることにより、前記実施形態の説明を援用する。
【００２７】
図１１に示すように、第二実施形態の補助分草装置２３は、分草杆２４に抵抗体４０を備える点が前記実施形態と相違している。抵抗体４０は、分草杆２４が茎稈に接触する際に、茎稈に前方上方への抵抗力を作用させるもので、積極的な分草及び引き起しが可能になる。ちなみに、本実施形態の抵抗体４０は、前方に突出する三角形の凸部４０ａを、上下方向に所定間隔を存して複数形成した板材で構成されるが、茎稈に前方上方への抵抗力を作用させるものであれば、形状は任意である。
【図面の簡単な説明】
【００２８】
【図１】コンバインの全体左側面図である。
【図２】コンバインの全体正面図である。
【図３】前処理部の動力伝動系統図である。
【図４】補助分草装置の全体左側面図である。
【図５】補助分草装置の全体正面図である。
【図６】補助分草装置の上部左側面図である。
【図７】補助分草装置の上部正面図である。
【図８】補助分草装置の下部左側面図である。
【図９】補助分草装置の下部正面図である。
【図１０】補助分草装置の分解斜視図である。
【図１１】第二実施形態を示す補助分草装置の左側面図である。
【符号の説明】
【００２９】
１    コンバイン
２    前処理部
８    デバイダ
８ａ  長孔
９    引起装置
１６  デバイダフレーム
２３  補助分草装置
２４  分草杆
２５  駆動アーム
２６  駆動ケース
２７  揺動アーム
２８  下側支持部
２９  駆動軸
３３  補強フレーム
【図１】
2010130921.tif 000003
【図２】
2010130921.tif 000004
【図３】
2010130921.tif 000005
【図４】
2010130921.tif 000006
【図５】
2010130921.tif 000007
【図６】
2010130921.tif 000008
【図７】
2010130921.tif 000009
【図８】
2010130921.tif 000010
【図９】
2010130921.tif 000011
【図１０】
2010130921.tif 000012
【図１１】
2010130921.tif 000013